【手続補正書】
【提出日】平成18年12月7日(2006.12.7)
【手続補正１】
【補正対象書類名】明細書
【補正対象項目名】特許請求の範囲
【補正方法】変更
【補正の内容】
【特許請求の範囲】
【請求項１】  構築物・重量据付物等の基礎とこの基礎上に支持される支持部材とにそれぞれ結合固定される支持結合装置の基部と蓋部とに対し、前記基部には円形嵌合凹部を設けると共に前記蓋部には前記基部の円形嵌合凹部の中心部に対応して突出部を設け、前記円形嵌合凹部内に前記突出部を挿通するリング形皿ばねを積層配置して、前記円形嵌合凹部内において前記突出部の水平方向への変位を吸収するように前記リング形皿ばねの外周に配置した複数の免震用ばね部材からなり、
前記免震用ばね部材は、同一または異なるばね強度を有する湾曲形成したばね鋼板をそれぞれ重ね合わせた構成からなることを特徴とする免震用ばね部材。
【請求項２】  重ね合わせる各ばね鋼板の全部またはその一部について、湾曲中心部をリベット止めないしはピン溶接等により結合した構成からなることを特徴とする請求項１記載の免震用ばね部材。
【請求項３】  同一または異なるばね強度を有する湾曲形成したばね鋼板からなる第１のばね材と第２のばね材とを、それぞれ湾曲方向を背反させて当接し、それぞれ湾曲中心部をリベット止めないしはピン溶接等により結合した構成からなることを特徴とする免震用ばね部材。
【請求項４】  前記第１のばね材および／または第２のばね材は、同一または異なるばね強度を有する湾曲形成した複数のばね鋼板をそれぞれ重ね合わせた構成からなることを特徴とする請求項３記載の免震用ばね部材。
【請求項５】  構築物・重量据付物等の基礎とこの基礎上に支持される支持部材とにそれぞれ結合固定される支持結合装置の基部と蓋部とに対し、前記基部には円形嵌合凹部を設けると共に前記蓋部には前記基部の円形嵌合凹部の中心部に対応して突出部を設け、
前記基部の円形嵌合凹部内に、前記突出部を挿通するリング形皿ばねを積層配置して、前記円形嵌合凹部内において前記突出部の水平方向への変位を吸収するように前記リング形皿ばねの外周に、請求項１〜４のいずれかに記載の複数の免震用ばね部材をそれぞれ隣接させて囲繞配置した構成からなることを特徴とする免震支持構造体。
【請求項６】  前記基礎と支持部材にそれぞれ結合固定される支持結合装置の前記基部に設けられた円形嵌合凹部は、相互に所要の間隔をもって離間させた内外２重の構成とし、内側の円形嵌合凹部を、外側の円形嵌合凹部に対して周囲方向へ摺動自在に配置すると共に、前記内側の円形嵌合凹部の底板上にリング形皿ばねを載置し、このリング形皿ばねの外周と前記内側の円形嵌合凹部との間および前記内側の円形嵌合凹部と前記外側の円形嵌合凹部との間に、前記複数の免震用ばね部材をそれぞれ隣接させて囲繞配置したことを特徴とする請求項５記載の免震支持構造体。
【手続補正２】
【補正対象書類名】明細書
【補正対象項目名】００１５
【補正方法】変更
【補正の内容】
【００１５】
【課題を解決するための手段】
前記の目的を達成するため、本発明に係る免震用ばね部材は、構築物・重量据付物等の基礎とこの基礎上に支持される支持部材とにそれぞれ結合固定される支持結合装置の基部と蓋部とに対し、前記基部には円形嵌合凹部を設けると共に前記蓋部には前記基部の円形嵌合凹部の中心部に対応して突出部を設け、前記円形嵌合凹部内に前記突出部を挿通するリング形皿ばねを積層配置して、前記円形嵌合凹部内において前記突出部の水平方向への変位を吸収するように前記リング形皿ばねの外周に配置した複数の免震用ばね部材からなり、
前記免震用ばね部材は、同一または異なるばね強度を有する湾曲形成したばね鋼板をそれぞれ重ね合わせた構成からなることを特徴とする。
【手続補正３】
【補正対象書類名】明細書
【補正対象項目名】００１７
【補正方法】変更
【補正の内容】
【００１７】
また、前記免震用ばね部材は、同一または異なるばね強度を有する湾曲形成したばね鋼板からなる第１のばね材と、同一または異なるばね強度を有する湾曲形成したばね鋼板からなる第２のばね材とを、それぞれ湾曲方向を背反させて当接し、それぞれ湾曲中心部をリベット止めないしはピン溶接等により結合した構成としたことを特徴とする。この場合、前記第１のばね材および／または第２のばね材は、同一または異なるばね強度を有する湾曲形成した複数のばね鋼板をそれぞれ重ね合わせた構成とすることができる。
【手続補正４】
【補正対象書類名】明細書
【補正対象項目名】００１８
【補正方法】変更
【補正の内容】
【００１８】
一方、本発明に係る免震支持構造体は、構築物・重量据付物等の基礎とこの基礎上に支持される支持部材とにそれぞれ結合固定される支持結合装置の基部と蓋部とに対し、前記基部には円形嵌合凹部を設けると共に前記蓋部には前記基部の円形嵌合凹部の中心部に対応して突出部を設け、前記基部の円形嵌合凹部内に、前記突出部を挿通するリング形皿ばねを積層配置して、前記円形嵌合凹部内において前記突出部の水平方向への変位を吸収するように前記リング形皿ばねの外周に、前記各構成からなる複数の免震用ばね部材をそれぞれ隣接させて囲繞配置した構成からなることを特徴とする。
【手続補正５】
【補正対象書類名】明細書
【補正対象項目名】００１９
【補正方法】変更
【補正の内容】
【００１９】
この場合、前記基礎と支持部材にそれぞれ結合固定される支持結合装置の前記基部に設けられた円形嵌合凹部は、相互に所要の間隔をもって離間させた内外２重の構成とし、内側の円形嵌合凹部を、外側の円形嵌合凹部に対して周囲方向へ摺動自在に配置すると共に、前記内側の円形嵌合凹部の底板上にリング形皿ばねを載置し、このリング形皿ばねの外周と前記内側の円形嵌合凹部との間および前記内側の円形嵌合凹部と前記外側の円形嵌合凹部との間に、前記複数の免震用ばね部材をそれぞれ隣接させて囲繞配置した構成とすることができる。
【手続補正６】
【補正対象書類名】明細書
【補正対象項目名】００２２
【補正方法】変更
【補正の内容】
【００２２】
図１ないし図５は、本発明に係る免震用ばね部材を使用した免震支持構造体の一実施例を示すものであって、図１は構築物・重量据付物等の支持部材側の要部側断面図、図２は構築物・重量据付物等の基礎側の要部側断面図、図３は図２に示す基礎側の平面図、図４は図１に示す支持部材側の底面図、図５は図１に示す支持部材側と図２に示す基礎側との結合状態を示す要部側断面図である。
【手続補正７】
【補正対象書類名】明細書
【補正対象項目名】００２３
【補正方法】変更
【補正の内容】
【００２３】
図１において、参照符号１０は構築物・重量据付物等の支持部材としての土台を示し、この土台１０の上部には、例えば適宜柱脚１２が結合固定される（図６参照）と共に、この柱脚１２の一部に、例えば筋かい１４（図７参照）の一端が結合支持固定される。前記柱脚１２を結合支持固定した土台１０の下部には、衝撃吸収機能を有する支持結合装置２０の蓋部２２を取付ける。すなわち、この蓋部２２は、例えばステンレス鋼等の強靭性と防錆効果を有する金属材料により構成し、中央部に所定の内径寸法ｄ1 からなる円形嵌合凹部２４を備え、その外法にそれぞれ延在する蓋板２６に、それぞれ取付けボルト２８およびナット２９を介して土台１０に結合固定する（図６および図７参照）。
【手続補正８】
【補正対象書類名】明細書
【補正対象項目名】００３１
【補正方法】変更
【補正の内容】
【００３１】
図１０の（ａ）は、前述した図９の（ａ）に示す支持結合装置２０の基部３２における免震用ばね部材４４ａ、４４ｂの変形例を示すものである。すなわち、本実施例の免震用ばね部材４４ａ、４４ｂは、同一または異なるばね強度を有する湾曲形成したばね鋼板からなる第１のばね材４８ａと、第２のばね材４８ｂとを、それぞれ湾曲方向を背反させて当接した構成からなるものである。すなわち、図１０の（ａ）に示す実施例においては、前記免震用ばね部材４４ａ、４４ｂは、図１０の（ｂ）および（ｃ）に示すように、同一または異なるばね強度を有する湾曲形成したばね鋼板４５ａ、４５ｂ、…をそれぞれ重ね合わせてなる第１のばね材４８ａと、同様にして同一または異なるばね強度を有する湾曲形成したばね鋼板４５ａ′、もしくは、湾曲形成したばね鋼板４５ａ′、４５ｂ′、…をそれぞれ重ね合わせてなる第２のばね材４８ｂとを、それぞれ湾曲方向を背反させて当接し、それぞれ湾曲中心部４６ａ、４６ｂをリベット止めないしはピン溶接等により結合した構成からなるものである。
【手続補正９】
【補正対象書類名】明細書
【補正対象項目名】００３５
【補正方法】変更
【補正の内容】
【００３５】
従って、前述した構成からなる本発明に係る免震用ばね部材およびこれを使用する免震支持構造体においては、これを建築物等の基礎構造において、土台１０と基礎３０との結合に際して適用することにより、地震時において地盤から伝播される水平方向の表面波に対しては、基部３２の円形嵌合凹部３４内に配置した免震用ばね部材４４または４４ａ、４４ｂによるばね弾力作用等により、免震効果を有効に発揮させることができる。また、地震時において地盤から伝播される垂直方向の実体波に対しても、伸縮ばね（圧縮コイルばね３５）およびばね部材４０のばね弾力作用等により、免震効果を発揮させることができる。
【手続補正１０】
【補正対象書類名】明細書
【補正対象項目名】００３７
【補正方法】変更
【補正の内容】
【００３７】
【発明の効果】
前述した実施例から明らかな通り、本発明に係る免震用ばね部材は、構築物・重量据付物等の基礎とこの基礎上に支持される支持部材とにそれぞれ結合固定される支持結合装置の基部と蓋部とに対し、それぞれ相互に嵌合する円形嵌合凹部を設け、この円形嵌合凹部内に水平方向への変位を吸収するように設けた免震用ばね部材であって、同一または異なるばね強度を有する湾曲形成したばね鋼板をそれぞれ重ね合わせて構成したり、あるいは同一または異なるばね強度を有する湾曲形成したばね鋼板からなる第２のばね材とを、それぞれ湾曲方向を背反させて当接したりすることにより、ばね強度を可変的に設定することができる免震用ばね部材の製造を、簡便かつ容易に達成することができる。
【手続補正１１】
【補正対象書類名】明細書
【補正対象項目名】００３９
【補正方法】変更
【補正の内容】
【００３９】
さらに、本発明に係る免震支持構造体によれば、基礎地盤から伝播される地震動の水平方向の表面波に対して、有効な免震効果を発揮させることができると共に、垂直方向の実体波に対しても免震効果を発揮させることができる。しかも、本発明の免震用ばね部材を使用することにより、比較的簡単な構成で、強靭かつ耐久性に優れ、各種構築物および重量据付物等の基礎構造ないし支持構造として、簡便にかつ低コストに実施することができる。
【手続補正１２】
【補正対象書類名】図面
【補正対象項目名】図１０
【補正方法】変更
【補正の内容】
【図１０】
2001164793.tif 000001